(57)【要約】【課題】本体内で発生した熱を効率よく分散させると共に操作部材操作時の感触が良好となる構成を提供することを目的とする。【解決手段】金属製の外装部材、押しボタン操作が可能な操作部材、該操作部材に対応したスイッチを有する基板、該基板を保持する金属製の操作プレート、機器内の発熱源となる素子と熱結合した放熱板、該放熱板に取り付けられた伝熱シート、を有した電子機器において、前記伝熱シートが前記操作プレート裏面、及び前記外装部材裏面双方に接していることを特徴とする電子機器。【選択図】図３
2018181868.tif 000002
【特許請求の範囲】
【請求項１】
金属製の外装部材、押しボタン操作が可能な操作部材、該操作部材に対応したスイッチを有する基板、
該基板を保持する金属製の操作プレート、機器内の発熱源となる素子と熱結合した放熱板、該放熱板に取り付けられた伝熱シート、を有した電子機器において、前記伝熱シートが前記操作プレート裏面、及び前記外装部材裏面双方に接していることを特徴とする電子機器。
【請求項２】
本体に対して回動可能な表示部を有し、該表示部が本体に対して収納された状態において、該表示部の表示面に対して垂直な方向から見た場合に該表示部と重なる領域の前記外装部材裏面と、前記操作プレート裏面とが同一高さであることを特徴とした請求項１に記載の電子機器。
【請求項３】
前記操作プレートの少なくとも前記表示部に近い側の一部領域が前記伝熱シートと接している事を特徴とする請求項２に記載の電子機器。
【発明の詳細な説明】
【技術分野】
【０００１】
本発明は、電子機器に関する。
【背景技術】
【０００２】
特許文献１は、本体内で発生する熱を直接外装部材へ伝えず、プレート部材へ伝えることで効率よく熱を分散させる手法を開示している。即ち操作部材や操作基板を保持した操作プレートを高熱伝導率の金属で形成し、発熱源となる基板を保持したメインフレームへ接触固定し、操作プレートよりも低い熱伝導率の外装で挟み込む構成となっている。
【０００３】
しかし、デジタルカメラ等の電子機器においては外装部材側へ操作プレートを取り付ける構成となることも多く、その場合特許文献１のような構成とすることが出来ない。
【０００４】
ところで、操作基板を有した操作プレートは操作方向に対してしっかりとした受けで固定されていないと押しボタン操作時の感触にメリハリがなくなり、操作感が低下してしまう。
【０００５】
しかしながら操作プレートを外装部材側へ保持させる構成の場合には上記受けを確実に行う事が難しく操作感が低下してしまい易かった。
【０００６】
これは本体内部の部品で構成する前記受けが、外装同士が合わさる前に先当たりしてしまうと外装合わせ部に隙間が生じてしまう為、僅かでも前記受け部に予めクリアランスを設定する必要があるからである。
【先行技術文献】
【特許文献】
【０００７】
【特許文献１】特許第５４６４９３０号公報
【発明の概要】
【発明が解決しようとする課題】
【０００８】
上記問題点に鑑みて、本発明では操作プレートを外装部材側へ取り付けた構成の場合でも、効率よく熱の分散を行うと共に操作部材操作時の感触が良好となる構成を提供することを目的とする。
【課題を解決するための手段】
【０００９】
金属製の外装部材、押しボタン操作が可能な操作部材、該操作部材に対応したスイッチを有する基板、
該基板を保持する金属製の操作プレート、機器内の発熱源となる素子と熱結合した放熱板、該放熱板に取り付けられた伝熱シート、を有した電子機器において、前記伝熱シートが前記操作プレート裏面、及び前記外装部材裏面双方に接していることを特徴とする電子機器。
【発明の効果】
【００１０】
本発明により、本体内で発生した熱を効率よく分散させると共に操作部材操作時の感触が良好となる構成を提供できる。
【図面の簡単な説明】
【００１１】
【図１】本実施の形態に係るカメラの表示部が可動する様子を示した図である。
【図２】本実施の形態に係るカメラの表示部が被写体側へ向いた状態を示した図である。
【図３】本実施の形態に係るカメラの操作部材周辺を示した断面図である。
【図４】本実施の形態に係るカメラの分解斜視図である。
【発明を実施するための形態】
【００１２】
［実施例］
以下図を用いて本発明に係る実施の形態を説明する。図１は本実施の形態に係るカメラの斜視図であり、カメラ本体１に対して表示部２の角度が可変である様子を示している。具体的には図１ａが通常撮影状態であり、この状態から上辺側に設けられた回転軸により図１ｂの状態となり使用者は主にカメラ本体１を目線より低い位置に下げたローアングル撮影時にこの状態として用いることができる。図２は表示部２を更に回転させ被写体側へ向けた状態を撮像面側から示した図であり、使用者は自分自身を撮影画角内に入れた撮影も行うことができる。図３は図２における操作部材３の周辺を示した断面図である。また図４は外装４、及び操作部ユニット５を分解した分解斜視図である。
【００１３】
図３、及び図４において、操作部材３は中央部に位置する回転揺動ダイアル３ａと押しボタン式の操作部３ｂで構成されている。回転揺動ダイアル３ａはダイアル式の回転操作と上下左右の押しボタン操作の２通りの操作が可能となっており、操作部ユニット５に構成されている。また操作部３ｂは４か所のボタン形状を有すると共に不図示の操作部ユニット取付部を有しており外装４に接着により取り付けられている。よって操作部ユニット５は操作部３ｂを介して外装４に取り付けられている。
【００１４】
ところで、操作部ユニット５は操作部３に対応したスイッチを有したフレキシブル基板６を操作プレート７で保持した構成となっている。その為、カメラ完成状態で操作プレート７の押しボタン操作方向に対しての受けがしっかりとなされているか否かで押しボタン操作時の操作感が大きく左右され、特に表示部に近い側は外装の側面からも遠ざかる為しっかりと受けることが重要である。
【００１５】
放熱板８は発熱源となる素子が実装されたメイン基板９と不図示の伝熱シートにより熱結合されている。放熱板８で吸収した熱は他の部品へ分散させる事で素子の温度を下げ、またカメラの局所的温度上昇を防止する。
【００１６】
そこで、外装４は表示部２が収納時にコンパクトに収まるよう表示部２と重なる領域は操作部周辺よりも一段下がった面で形成されており、その裏面と操作プレート７の裏面とは同一高さ（略同一高さ）となっている。そして放熱板８に設けられた伝熱シート１０が前記外装裏面と操作プレート裏面双方の面に接触している。この構成により、放熱板８の熱を外装４だけでなく操作プレート７にも伝えることが出来る為、カメラ使用者の手が直接触れる外装４の局所的な温度上昇を防止出来ている。
【００１７】
また操作プレート７の受けとして表示部に近い側で、更に伝熱シート１０は圧縮させて確実に密着させることができるので操作プレートの押しボタン方向に対する受けを上述のクリアランスを設けず確実に行うことが可能となり、結果押しボタン操作時の操作感を良好にすることができる。
【００１８】
以上述べたように、本発明による伝熱構成とすることで、本体内で発生した熱を効率よく分散させると共に操作部材操作時に良好な感触を得ることが可能となる。
【符号の説明】
【００１９】
１・・・・・カメラ本体
２・・・・・表示部
４・・・・・外装
７・・・・・操作プレート
８・・・・・放熱板
１０・・・・伝熱シート
【図１】
2018181868.tif 000003
【図２】
2018181868.tif 000004
【図３】
2018181868.tif 000005
【図４】
2018181868.tif 000006